(57)【要約】【課題】  ユニット建物の間取り制約を生ずることなく、相隣る建物ユニットに渡る吹抜け部を形成すること。【解決手段】  ユニット建物１において、左右に相隣る下階建物ユニット１０Ａの相並ぶ天井梁１３の一端側に定めたカット部１３Ｂをカットして該天井梁１３をカット天井梁１３Ａとし、各下階建物ユニット１０Ａの上記カット天井梁１３Ａに相対する天井梁１３を標準天井梁１３とするとき、両下階建物ユニット１０Ａの標準天井梁１３の中間部を渡し梁２１にて連結し、渡し梁２１の中間部に各下階建物ユニット１０Ａのカット天井梁１３Ａのカット端を接合し、各下階建物ユニット１０Ａの上に搭載される上階建物ユニット１０Ｂが、該下階建物ユニット１０Ａの少なくとも天井梁１３のカット部１３Ｂに対応する部分には床梁１２を設けないもの。【選択図】  図１
2006037540.tif 000002
【特許請求の範囲】
【請求項１】
柱と梁を接合した骨組構造体からなる複数個の建物ユニットを左右上下に隣接設置して
なるユニット建物において、
左右に相隣る下階建物ユニットの相並ぶ天井梁の一端側に定めたカット部をカットして
該天井梁をカット天井梁とし、各下階建物ユニットの上記カット天井梁に相対する天井梁
を標準天井梁とするとき、両下階建物ユニットの標準天井梁の中間部を渡し梁にて連結し
、渡し梁の中間部に各下階建物ユニットのカット天井梁のカット端を接合し、
各下階建物ユニットの上に搭載される上階建物ユニットが、該下階建物ユニットの少な
くとも天井梁のカット部に対応する部分には床梁を設けないことを特徴とするユニット建
物。
【請求項２】
前記下階建物ユニットのカット天井梁に対応する上階建物ユニットの床梁の該カット天
井梁のカット部に対応する部分をカットして該床梁をカット床梁とし、
上階建物ユニットのカット床梁のカット端を前記渡し梁の中間部に接合する請求項１に
記載のユニット建物。
【請求項３】
前記下階建物ユニットのカット天井梁が、該カット天井梁に相対する標準天井梁と、該
カット天井梁の両端のそれぞれに交差する天井梁及び渡し梁とにより区画する天井面に、
水平ブレースを張り設ける請求項１又は２に記載のユニット建物。
【請求項４】
前記相隣る下階建物ユニットの相並ぶ天井梁のカット部を外壁側に設けるとき、両下階
建物ユニットの外壁側に面する柱の柱頭間に補強天井梁を架け渡す請求項１〜３のいずれ
かに記載のユニット建物。
【請求項５】
前記相隣る下階建物ユニットの相並ぶ天井梁のカット部を吹抜け部とする請求項１〜４
のいずれかに記載のユニット建物。
【発明の詳細な説明】
【技術分野】
【０００１】
本発明はユニット建物に関する。
【背景技術】
【０００２】
ユニット建物の内部に吹抜け階段室等を設けるに際し、特許文献１に記載の如く、左右
に相隣る下階建物ユニットの相並ぶ天井梁の一端側に定めたカット部をカットして該天井
梁をカット天井梁とし、この相並ぶ天井梁のカット部を吹抜け部とするものがある。
【特許文献１】特開平6-272317
【発明の開示】
【発明が解決しようとする課題】
【０００３】
特許文献１のユニット建物では、天井梁をカットしたことによる各建物ユニットの強度
低下を補うため、各建物ユニット内で、カット天井梁のカット端に補強間柱と補強梁を接
合し、補強間柱をカット天井梁の下方の床梁の中間部に立て、補強梁をカット天井梁の側
方の標準天井梁の中間部に接続している。このため、相隣る下階建物ユニットの吹抜け部
の中央側傍に補強間柱が立ち、下階の間取り制約を生ずる。
【０００４】
本発明の課題は、ユニット建物の間取り制約を生ずることなく、相隣る建物ユニットに
渡る吹抜け部を形成することにある。
【課題を解決するための手段】
【０００５】
請求項１の発明は、柱と梁を接合した骨組構造体からなる複数個の建物ユニットを左右
上下に隣接設置してなるユニット建物において、左右に相隣る下階建物ユニットの相並ぶ
天井梁の一端側に定めたカット部をカットして該天井梁をカット天井梁とし、各下階建物
ユニットの上記カット天井梁に相対する天井梁を標準天井梁とするとき、両下階建物ユニ
ットの標準天井梁の中間部を渡し梁にて連結し、渡し梁の中間部に各下階建物ユニットの
カット天井梁のカット端を接合し、各下階建物ユニットの上に搭載される上階建物ユニッ
トが、該下階建物ユニットの少なくとも天井梁のカット部に対応する部分には床梁を設け
ないようにしたものである。
【０００６】
請求項２の発明は、請求項１の発明において更に、前記下階建物ユニットのカット天井
梁に対応する上階建物ユニットの床梁の該カット天井梁のカット部に対応する部分をカッ
トして該床梁をカット床梁とし、上階建物ユニットのカット床梁のカット端を前記渡し梁
の中間部に接合するようにしたものである。
【０００７】
請求項３の発明は、請求項１又は２の発明において更に、前記下階建物ユニットのカッ
ト天井梁が、該カット天井梁に相対する標準天井梁と、該カット天井梁の両端のそれぞれ
に交差する天井梁及び渡し梁とにより区画する天井面に、水平ブレースを張り設けるよう
にしたものである。
【０００８】
請求項４の発明は、請求項１〜３のいずれかの発明において更に、前記相隣る下階建物
ユニットの相並ぶ天井梁のカット部を外壁側に設けるとき、両下階建物ユニットの外壁側
に面する柱の柱頭間に補強天井梁を架け渡すようにしたものである。
【０００９】
請求項５の発明は、請求項１〜４のいずれかの発明において更に、前記相隣る下階建物
ユニットの相並ぶ天井梁のカット部を吹抜け部とするようにしたものである。
【発明の効果】
【００１０】
（請求項１、５）
(a)天井梁をカットしたことによる各下階建物ユニットの強度低下を補うため、両下階
建物ユニットの標準天井梁の中間部を渡し梁にて連結し、カット天井梁のカット端を渡し
梁の中間部に接合した。このため、相隣る下階建物ユニットのカット天井梁を支える間柱
が、それら下階建物ユニットの相並ぶ床梁の中間部に立つ等がなく、下階の間取り制約を
生ずることなく、相並ぶカット天井梁のカット部にて吹抜け部を形成できる。
【００１１】
（請求項２）
(b)上階建物ユニットが床梁を有するものであって、下階建物ユニットのカット天井梁
に対応する上階建物ユニットの床梁をカット床梁とするとき、カット床梁のカット端を前
述(a)の下階建物ユニットに設けた渡し梁の中間部に接合することによれば、上階建物ユ
ニットも簡易に補強できる。
【００１２】
（請求項３）
(c)カット天井梁を有する下階建物ユニットにおいて、カット天井梁と渡し梁を含む天
井面に水平ブレースを張り設けることにより、カット天井梁を設けたことによる下階建物
ユニットの強度低下を補強できる。
【００１３】
相隣る下階建物ユニットの相並ぶカット天井梁を外壁側に設けるとき、外壁に作用する
風圧力は水平ブレースにより補強された天井面を介して各下階建物ユニットの柱、標準天
井梁に伝達されて支持される。
【００１４】
（請求項４）
(d)相隣る下階建物ユニットの相並ぶカット天井梁のカット部を外壁側に設けるとき、
外壁に作用する風圧力は両下階建物ユニットの柱の柱頭間に架け渡した補強天井梁を介し
て各下階建物ユニットの柱、標準天井梁に伝達されて支持される。
【発明を実施するための最良の形態】
【００１５】
図１は実施例１のユニット建物を示し、（Ａ）は下階天井面を示す平面図、（Ｂ）は上
階床面を示す平面図、図２は図１のII−II線に沿う矢視図、図３は図２のIII−III線に沿
う矢視図、図４は補強天井梁接合構造を示す側面図、図５は基礎接合構造を示す断面図、
図６は斜材補強構造を示す正面図、図７は実施例２のユニット建物を示し、（Ａ）は下階
天井面を示す平面図、（Ｂ）は上階床面を示す平面図、図８は隣接柱接合構造を示す断面
図である。
【実施例】
【００１６】
（実施例１）（図１〜図６）
図１は、複数個の工場生産された建物ユニット１０を左右上下に隣接設置したユニット
建物１の一部であって、左右に相隣る下階建物ユニット１０Ａ、１０Ａとその上部の上階
建物ユニット１０Ｂ、１０Ｂに渡る階段吹抜け室等の吹抜け部２を形成する部分を示し、
図１（Ａ）は下階天井面を示し、図１（Ｂ）は上階床面を示す。
【００１７】
標準的な建物ユニット１０は、角鋼管製柱１１とＣ形鋼等の形鋼製床梁１２とＣ形鋼等
の形鋼製天井梁１３を直方体状に接合した骨組構造体（ラーメンフレーム）からなる。但
し、床梁１２は省略できる。
【００１８】
（Ａ）下階建物ユニット１０Ａの構造
ユニット建物１において、相隣る下階建物ユニット１０Ａ、１０Ａは、相並ぶ天井梁１
３の一端側に定めたカット部１３Ｂをカットして該天井梁１３をカット天井梁１３Ａとす
る。そして、各下階建物ユニット１０Ａの上記カット天井梁１３Ａに相対する天井梁１３
を標準天井梁１３とするとき、両下階建物ユニット１０Ａ、１０Ａの標準天井梁１３の中
間部を長尺のＩ形鋼等の形鋼製渡し梁２１にて連結し、渡し梁２１の中間部に各下階建物
ユニット１０Ａのカット天井梁１３Ａのカット端を接合している。
【００１９】
渡し梁２１と標準天井梁１３は、図２に示す如く、渡し梁２１の両端部のウエブ両面に
Ｌ形状連結金物２２のＬ形の一辺をボルト２２Ａにより連結し、連結金物２２のＬ形の他
片をボルト２２Ｂにより標準天井梁１３の中間部に連結することにて接合される。
【００２０】
渡し梁２１とカット天井梁１３Ａは、図２、図３に示す如く、渡し梁２１の中間部のウ
エブの一辺にＬ形状連結金物２３のＬ形の一片をボルト２３Ａにより連結し、連結金物２
３のＬ形の他片をボルト２３Ｂによりカット天井梁１３Ａのカット端に連結することにて
接合される。
【００２１】
尚、下階建物ユニット１０Ａは、工場生産段階〜現地据付過程での渡し梁２１の接合、
渡し梁２１へのカット天井梁１３Ａの接合までの間、カット天井梁１３Ａのカット部１３
Ｂに仮梁を設け、カット天井梁１３Ａのカット端の直下に仮柱１１Ａ（図３）を設け、そ
の後それらの仮梁、仮柱１１Ａを撤去する。
【００２２】
また、相隣る下階建物ユニット１０Ａ、１０Ａにあっては、カット天井梁１３Ａのカッ
ト部１３Ｂと標準天井梁１３との交差部に位置する柱１１を撤去する柱省略部とし、この
柱省略部を挟む一方の下階建物ユニット１０Ａの柱１１の柱頭と、他方の下階建物ユニッ
ト１０Ａの柱１１の柱頭との間に、図４に示す如く、長尺のＣ形鋼等の形鋼製補強天井梁
２４を架け渡している。補強天井梁２４の両端部は、両下階建物ユニット１０Ａの柱１１
にボルト接合され、補強天井梁２４の中間部は標準天井梁１３に添設してボルト接合され
る。相隣る下階建物ユニット１０Ａ、１０Ａは、両ユニットに渡る柱省略面を形成でき、
大開口等を設けることができる。
【００２３】
尚、下階建物ユニット１０Ａは、工場生産段階〜現地据付過程での補強天井梁２４の接
合までの間、柱省略部に仮柱を設け、その後仮柱を撤去する。
【００２４】
しかるに、下階建物ユニット１０Ａは、カット天井梁１３Ａを設けたことによるラーメ
ンフレームの強度低下を補うため、以下の補強構造を備える。
【００２５】
(1)水平ブレースの付加構造
下階建物ユニット１０Ａのカット天井梁１３Ａが、該カット天井梁１３Ａに相対する標
準天井梁１３と、該カット天井梁１３Ａの両端のそれぞれに交差する天井梁１３及び渡し
梁２１とにより区画する天井面に、Ｘ字状をなす水平ブレース２５Ａ、２５Ｂを張り設け
る。水平ブレース２５Ａは、柱１１と、カット天井梁１３Ａと渡し梁２１の交差部のそれ
ぞれに連結される。水平ブレース２５Ｂは、柱１１と、標準天井梁１３と渡し梁２１の交
差部のそれぞれに連結される。
【００２６】
(2)基礎接合構造（図５）
カット天井梁１３Ａが接合される柱１１の柱脚を基礎２６に剛接合する。基礎２６は、
図４に示す如く、アンカーボルト２６Ａにより固定した鋼製基礎構造体２７を備え、基礎
構造体２７に複数個の鋼製取付金物２７Ａを溶接にて固定している。基礎２６への下階建
物ユニット１０Ａの据付け時に、柱１１の柱脚に溶接してある被取付金具２８を基礎構造
体２７の取付金物２７Ａに高力ボルト２８Ａで締結することにより、柱１１を基礎２６に
剛接合する。
【００２７】
(3)斜材補強構造（図６）
下階建物ユニット１０Ａの柱１１の柱脚と天井梁１３の中間部の間に、斜材２９を設け
る。斜材２９は柱１１の柱脚と天井梁１３の中間部のそれぞれにピン接合される。柱１１
と天井梁１３の一部が斜材２９とともに形成する直角三角形を不変形体（不変形トラス）
とし、下階建物ユニット１０Ａにおける天井梁１３の見かけ長さ（天井梁１３の全長から
不変形トラス部分を除いた長さ）を短くしてそのフレーム剛性を強化し、水平荷重に対す
る耐力を向上する。
【００２８】
（Ｂ）上階建物ユニット１０Ｂの構造
下階建物ユニット１０Ａの上に搭載される上階建物ユニット１０Ｂは、下階建物ユニッ
ト１０Ａのカット天井梁１３Ａに対応する上階建物ユニット１０Ｂの床梁１２の該カット
天井梁１３Ａのカット１３Ｂに対応する部分をカットし、該床梁１２をカット床梁１２Ａ
とする。
【００２９】
上階建物ユニット１０Ｂのカット床梁１２Ａのカット端は、下階建物ユニット１０Ａに
設けてある渡し梁２１の中間部に接合される。即ち、図２、図３に示す如く、カット床梁
１２Ａのカット端は、渡し梁２１の中間部の上に搭載され、カット床梁１２Ａの下フラン
ジを渡し梁２１の上フランジにボルト３１により接合される。
【００３０】
尚、上階建物ユニット１０Ｂは、工場生産段階〜現地据付過程での渡し梁２１へのカッ
ト床梁１２Ａの接合までの間、カット床梁１２Ａのカット部１２Ｂに仮梁を設け、その後
仮梁を撤去する。
【００３１】
また、相隣る上階建物ユニット１０Ｂ、１０Ｂにあっては、カット床梁１２Ａのカット
部１２Ｂと標準床梁１２との交差部に位置する柱１１を撤去する柱省略部とし、この柱省
略部を挟む一方の上階建物ユニット１０Ｂの柱１１の柱脚と、他方の上階建物ユニット１
０Ｂの柱１１の柱脚との間に、長尺のＣ形鋼等の形鋼製補強床梁３２を架け渡している。
補強床梁３２の両端部は、両上階建物ユニット１０Ｂの柱１１にボルト接合され、補強床
梁３２の中間部は標準床梁１２に添設してボルト接合される。相隣る上階建物ユニット１
０Ｂ、１０Ｂは、両ユニットに渡る柱省略面を形成でき、大開口等を設けることができる
。
【００３２】
尚、上階建物ユニット１０Ｂは、工場生産段階〜現地据付過程での補強床梁３２の接合
までの間、柱省略部に仮柱を設け、その後仮柱を撤去する。
【００３３】
（Ｃ）ユニット建物１
従って、ユニット建物１にあっては、相隣る下階建物ユニット１０Ａ、１０Ａの上に各
上階建物ユニット１０Ｂを搭載し、下階建物ユニット１０Ａ、１０Ａにおいて相並ぶカッ
ト天井梁１３Ａのカット部１３Ｂと、上階建物ユニット１０Ｂ、１０Ｂにおいて相並ぶカ
ット床梁１２Ａのカット部１２Ｂを吹抜け部２とする。即ち、渡し梁２１と補強天井梁２
４、補強床梁３２に挟まれ、左右に相隣る下階建物ユニット１０Ａ、１０Ａ、相隣る上階
建物ユニット１０Ｂ、１０Ｂに渡り、下階建物ユニット１０Ａから上階建物ユニット１０
Ｂの上下に連続する空間を吹抜け部２とするものであり、この平面視で左右に長い吹抜け
部２には緩傾斜の階段を設置する等ができる。
【００３４】
また、ユニット建物１にあっては、相隣る下階建物ユニット１０Ａ、１０Ａの相並ぶカ
ット天井梁１３Ａのカット部１３Ｂと、相隣る上階建物ユニット１０Ｂ、１０Ｂの相並ぶ
カット床梁１２Ａのカット部１２Ｂを外壁側に設けるとき、両下階建物ユニット１０Ａ、
１０Ａの外壁側に面する柱１１の柱頭間に補強天井梁２４を架け渡し、両下階建物ユニッ
ト１０Ｂ、１０Ｂの外壁側に面する柱１１の柱脚間に補強床梁３２を架け渡すものとなる
。補強天井梁２４、補強床梁３２の断面の弱軸を補強することにより、外壁に作用する風
圧力を補強天井梁２４、補強床梁３２により受けることができる。
【００３５】
本実施例によれば以下の作用効果を奏する。
(a)天井梁１３をカットしたことによる各下階建物ユニット１０Ａの強度低下を補うた
め、両下階建物ユニット１０Ａの標準天井梁１３の中間部を渡し梁２１にて連結し、カッ
ト天井梁１３Ａのカット端を渡し梁２１の中間部に接合した。このため、相隣る下階建物
ユニット１０Ａのカット天井梁１３Ａを支える間柱が、それら下階建物ユニット１０Ａの
相並ぶ床梁１２の中間部に立つ等がなく、下階の間取り制約を生ずることなく、相並ぶカ
ット天井梁１３Ａのカット部１３Ｂにて吹抜け部２を形成できる。
【００３６】
(b)上階建物ユニット１０Ｂが床梁１２を有するものであって、下階建物ユニット１０
Ａのカット天井梁１３Ａに対応する上階建物ユニット１０Ｂの床梁１２をカット床梁１２
Ａとするとき、カット床梁１２Ａのカット端を前述(a)の下階建物ユニット１０Ａに設け
た渡し梁２１の中間部に接合することによれば、上階建物ユニット１０Ｂも簡易に補強で
きる。
【００３７】
(c)カット天井梁１３Ａを有する下階建物ユニット１０Ａにおいて、カット天井梁１３
Ａと渡し梁２１を含む天井面に水平ブレース２５Ａ、２５Ｂを張り設けることにより、カ
ット天井梁１３Ａを設けたことによる下階建物ユニット１０Ａの強度低下を補強できる。
【００３８】
(d)相隣る下階建物ユニット１０Ａの相並ぶカット天井梁１３Ａのカット部１３Ｂを外
壁側に設けるとき、外壁に作用する風圧力は両下階建物ユニット１０Ａの柱１１の柱頭間
に架け渡した補強天井梁１３を介して各下階建物ユニット１０Ａの柱１１、標準天井梁２
４に伝達されて支持される。
【００３９】
（実施例２）（図７、図８）
図７の実施例２は、相隣る下階建物ユニット１０Ａ、１０Ａのそれぞれに標準建物ユニ
ット１０を隣接設置するとともに、相隣る上階建物ユニット１０Ｂ、１０Ｂのそれぞれに
標準建物ユニット１０を隣接設置し、相隣る下階建物ユニット１０Ａ、１０Ａと上階建物
ユニット１０Ｂ、１０Ｂに渡る吹抜け部２を形成したものであり、図７（Ａ）は下階天井
面を示し、図７（Ｂ）は上階床面を示す。
【００４０】
（Ａ）下階建物ユニット１０Ａの構造
実施例２の下階建物ユニット１０Ａが実施例１の下階建物ユニット１０Ａと異なる点は
、カット天井梁１３Ａのカット部１３Ｂと標準天井梁１３との交差部に位置する柱１１を
撤去せず、この部分に柱省略部を設けなかったこと、従って補強天井梁２４を設けなかっ
たことにある。
【００４１】
下階建物ユニット１０Ａにおける、カット天井梁１３Ａのカット部１３Ｂと交差する標
準天井梁１３の側傍には、標準建物ユニット１０を隣接設置してある。この標準建物ユニ
ット１０は、４個の天井梁１３に囲まれる天井面に、Ｘ字状をなす水平ブレース４１Ａ、
４１Ｂを張り設ける。
【００４２】
下階建物ユニット１０Ａにおいてカット天井梁１３Ａを設けたことによるラーメンフレ
ームの補強構造として、実施例１の下階建物ユニット１０Ａで採用した(1)水平ブレース
付加構造、(2)基礎接合構造、(3)斜材補強構造の他、標準建物ユニット１０の存在を利用
した以下の隣接柱補強構造を採用できる。
【００４３】
図８に示す如く、相隣る下階建物ユニット１０Ａ、１０の相並ぶ柱１、１１の相対する
側壁４２Ａ、４２Ａのそれぞれにボルト挿通孔４３Ａ、４３Ａを同軸的に設けるとともに
、一方の柱１１のボルト挿通孔４３Ａを設けた側壁４２Ａの背面側の側壁４２Ｂにボルト
取付操作孔４３Ｂを設け、他方の管柱１１のボルト挿通孔４３Ａを設けた側壁４２Ａの背
面側の側壁４２Ｂにナット取付操作孔４３Ｃを設ける。そして、相隣る建物ユニット１０
Ａ、１０を基礎上に据付け、相並ぶ柱１１、１１の相対する側壁４２Ａ、４２Ａに設けた
ボルト挿通孔４３Ａ、４３Ａに同軸配置される孔開きスペーサ４４を、それらの側壁４２
Ａ、４２Ａに挟まれる隙間に設ける。一方の柱１１の側壁４２Ｂに設けたボルト取付操作
孔４３Ｂから挿入したボルト４５を両柱１１、１１のボルト挿通孔４３Ａ、４３Ａ、及び
両柱１１、１１の相対する側壁４２Ａ、４２Ａの間の隙間に設けた孔開きスペーサ４４の
ボルト挿通孔に挿通する。他方の柱１１の側壁４２Ｂに設けたナット取付操作孔４３Ｃか
ら挿入したナット４６を上記ボルト４５に螺着する。ボルト４５は、高力ボルト、本実施
例ではトルシア形の高力ボルトし、トルシア工具をナット取付操作孔４３Ｃから挿入して
ナット４６をボルト４５に締結操作する。
【００４４】
（Ｂ）上階建物ユニット１０Ｂの構造
実施例２の上階建物ユニット１０Ｂが実施例１の上階建物ユニット１０Ｂと異なる点は
、カット床梁１２Ａのカット部１２Ｂと標準床梁１２との交差部に位置する柱１１を撤去
せず、この部分に柱省略部を設けなかったこと、従って補強床梁３２を設けなかったこと
にある。
【００４５】
上階建物ユニット１０Ｂにおける、カット天井梁１２Ａのカット部１２Ｂと交差する標
準床梁１２の側傍には、標準建物ユニット１０を隣接設置してある。
【００４６】
（Ｃ）ユニット建物１
従って、実施例２のユニット建物１にあっては、相隣る下階建物ユニット１０Ａ、１０
Ａの上に各上階建物ユニット１０Ｂを搭載し、下階建物ユニット１０Ａ、１０Ａにおいて
相並ぶカット天井梁１３Ａのカット部１３Ｂと、上階建物ユニット１０Ｂ、１０Ｂにおい
て相並ぶカット床梁１２Ａのカット部１２Ｂを吹抜け部２とする。即ち、渡し梁２１の反
カット床梁１２Ａと反カット天井梁１３Ａの側で、左右に相隣る下階建物ユニット１０Ａ
、１０Ａ、相隣る上階建物ユニット１０Ｂ、１０Ｂに渡り、下階建物ユニット１０Ａから
上階建物ユニット１０Ｂの上下に連続する空間を吹抜け部２とするものであり、この平面
視で左右に長い吹抜け部２には緩傾斜の階段を設置する等ができる。
【００４７】
また、ユニット建物１にあっては、相隣る下階建物ユニット１０Ａ、１０Ａの相並ぶカ
ット天井梁１３Ａの基端と、相隣る上階建物ユニット１０Ｂ、１０Ｂの相並ぶカット床梁
１２Ａの基端を外壁側に設けることができる。このとき、下階建物ユニット１０Ａにおけ
るカット天井梁１３Ａのカット部１３Ｂと、上階建物ユニット１０Ｂにおけるカット床梁
１２Ａのカット部１２Ｂは、ユニット建物１の内壁側に位置するものになる。
【００４８】
本実施例によれば、実施例１の(a)〜(c)の作用効果に加え、以下の作用効果を奏する。
相隣る下階建物ユニット１０Ａ、１０Ａの相並ぶカット天井梁１３Ａ、１３Ａを外壁側
に設けるとき、外壁に作用する風圧力は、該下階建物ユニット１０Ａの水平ブレース２５
Ａ、２５Ｂにより補強された天井面を介して該下階建物ユニット１０Ａの柱１１、標準天
井梁１３に伝達されて支持される。
【００４９】
以上、本発明の実施例を図面により詳述したが、本発明の具体的な構成はこの実施例に
限られるものではなく、本発明の要旨を逸脱しない範囲の設計の変更等があっても本発明
に含まれる。
【図面の簡単な説明】
【００５０】
【図１】図１は実施例１のユニット建物を示し、（Ａ）は下階天井面を示す平面図、（Ｂ）は上階床面を示す平面図である。
【図２】図２は図１のII−II線に沿う矢視図である。
【図３】図３は図２のIII−III線に沿う矢視図である。
【図４】図４は補強天井梁接合構造を示す側面図である。
【図５】図５は基礎接合構造を示す断面図である。
【図６】図６は斜材補強構造を示す正面図である。
【図７】図７は実施例２のユニット建物を示し、（Ａ）は下階天井面を示す平面図、（Ｂ）は上階床面を示す平面図である。
【図８】図８は隣接柱接合構造を示す断面図である。
【符号の説明】
【００５１】
１  ユニット建物
２  吹抜け部
１０  建物ユニット
１０Ａ  下階建物ユニット
１０Ｂ  上階建物ユニット
１１  柱
１２  床梁
１２Ａ  カット床梁
１２Ｂ  カット部
１３  天井梁
１３Ａ  カット天井梁
１３Ｂ  カット部
２１  渡し梁
２４  補強天井梁
２５Ａ、２５Ｂ  水平ブレース
【図１】
2006037540.tif 000003
【図２】
2006037540.tif 000004
【図３】
2006037540.tif 000005
【図４】
2006037540.tif 000006
【図５】
2006037540.tif 000007
【図６】
2006037540.tif 000008
【図７】
2006037540.tif 000009
【図８】
2006037540.tif 000010